(57)【要約】【課題】  操作性に優れながら周辺の状況による影響を受けずして、最下段に立設される鋼鉄製の柱における建入れ調整を可能にする。【解決手段】  作動油の給排で伸縮するジャッキ３がポンプ１，タンク２，チェック弁１ｂ，４，リリーフ弁１ｃおよび圧抜き弁５を組み込んでなると共に、ポンプ１をポンピング作動させるハンドル１ａを上端に連繋させてなる。【選択図】        図１
2005097998.tif 000002
【特許請求の範囲】
【請求項１】
ポンプによってタンクから汲み上げられた作動油の供給を受けて伸長すると共に供給された作動油をタンクに戻して収縮するジャッキを有してなる建入れ調整装置において、ポンプおよびタンクがジャッキに組み込まれると共に、ポンプから吐出される作動油における油圧を設定するリリーフ弁および供給された作動油のタンクへの戻りを許容する圧抜き弁がジャッキに組み込まれてなる一方で、ポンプをポンピング作動させるハンドルがジャッキの上端に連繋されてなることを特徴とする建入れ調整装置
【請求項２】
ジャッキが固定側部材と可動側部材とからなり、固定側部材が基礎上などに載置されるベース部と、このベース部に上方に向けて起立するロッド部とを有し、可動側部材が固定側部材におけるロッド部を下端側から出没可能に導入させて作動油の給排で膨縮する圧力室を画成するシリンダ部と、このシリンダ部から上方に向けて延設されてポンプ，タンク，リリーフ弁および圧抜き弁を内蔵するハウジング部とを有し、シリンダ部内に画成される圧力室に対する作動油の給排で可動側部材が昇降すると共に、この可動側部材におけるシリンダ部にフック部を有してなる請求項１に記載の建入れ調整装置
【請求項３】
フック部にこのフック部を上下方向に貫通するように螺合して先端を固定側部材におけるベース部に当接させる有頭ボルトを有すると共に、この有頭ボルトをベース部に連繋するホルダに保持させてなる請求項２に記載の建入れ調整装置
【発明の詳細な説明】
【技術分野】
【０００１】
この発明は、基礎上などに最下段となる重量体たる鋼鉄製の柱を建て込む際に利用する建入れ調整装置の改良に関する。
【背景技術】
【０００２】
重量体たる鋼鉄製の柱を建て込む際に利用する建入れ調整装置としては、従来から種々の提案があるが、その中に、基礎上などに最下段となる柱を建て込む際に利用する建入れ調整装置の提案がある（たとえば、特許文献１参照）。
【０００３】
すなわち、この建入れ調整装置は、水平となる揺動中心で揺動する揺動部材を有してなるが、この揺動部材の先端側には柱の下端下方に挿し込まれるフック部を設け、この揺動部材の後端側には作業者の人力によってこれを上下動し得る外力作用部を設けてなる。
【０００４】
このとき、外力作用部は、軸芯線がいわゆる縦方向になるように配在される有頭ボルトを有していて、この有頭ボルトの頭部たる回動操作部を回動操作することで、外力作用部を上下動し得るとしている。
【０００５】
それゆえ、この建入れ調整装置によれば、柱の下端にフック部を係止させた状態で、揺動部材の後端側となる外力作用部を下降させることで、フック部を上昇させて柱の下端を上昇させ、柱の倒れを修正し得る、すなわち、建入れ直しを実行し得ることになる。
【特許文献１】特開２００２−３０３０４５号公報（明細書中の段落０００９，同００１０，同００４１，図２）
【発明の開示】
【発明が解決しようとする課題】
【０００６】
しかしながら、上記した建入れ調整装置にあっては、使い勝手が悪く、操作性に劣ると指摘される可能性がある。
【０００７】
すなわち、上記した建入れ調整装置にあっては、後端側の外力作用部に縦方向に配在されている有頭ボルトを回動操作することで、先端側のフック部を昇降させるとしている。
【０００８】
それゆえ、この有頭ボルトの頭部を回動操作するについては、頭部に連繋した工具を水平方向あるいはほぼ水平方向に回動することが必須になる。
【０００９】
このとき、工具が大きく、すなわち、ハンドルなどが長く形成されていればいる程操作性が悪くなり、周辺の状況によっては、ハンドルなどが他部に干渉して、有頭ボルトの回動自体を不能にする危惧がある。
【００１０】
そして、操作性を良くしあるいは他部への干渉を回避するなどでハンドルなどを短く形成すると、有頭ボルトの回動に際して大きいトルクが必要になり、作業者の負担を大きくする不具合を招来することになる。
【００１１】
この発明は、上記した現状を鑑みて創案されたものであって、その目的とするところは、最下段に立設される鋼鉄製の柱における建入れ調整を可能にするのはもちろんのこと、周辺の状況による影響を受けずして、操作性に優れ、その汎用性の向上を期待するのに最適となる建入れ調整装置を提供することである。
【課題を解決するための手段】
【００１２】
上記した目的を達成するために、この発明による建入れ調整装置の構成を、基本的には、ポンプによってタンクから汲み上げられた作動油の供給を受けて伸長すると共に供給された作動油をタンクに戻して収縮するジャッキを有してなる建入れ調整装置において、ポンプおよびタンクがジャッキに組み込まれると共に、ポンプから吐出される作動油における油圧を設定するリリーフ弁および供給された作動油のタンクへの戻りを許容する圧抜き弁がジャッキに組み込まれてなる一方で、ポンプをポンピング作動させるハンドルがジャッキの上端に連繋されてなるとする。
【００１３】
そして、上記した構成において、より具体的には、ジャッキが固定側部材と可動側部材とからなり、固定側部材が基礎上などに載置されるベース部と、このベース部に上方に向けて起立するロッド部とを有し、可動側部材が固定側部材におけるロッド部を下端側から出没可能に導入させて作動油の給排で膨縮する圧力室を画成するシリンダ部と、このシリンダ部から上方に向けて延設されてポンプ，タンク，リリーフ弁および圧抜き弁を内蔵するハウジング部とを有し、シリンダ部内に画成される圧力室に対する作動油の給排で可動側部材が昇降すると共に、この可動側部材におけるシリンダ部にフック部を有してなるとする。
【００１４】
また、フック部にこのフック部を上下方向に貫通するように螺合して先端を固定側部材におけるベース部に当接させる有頭ボルトを有すると共に、この有頭ボルトをベース部に連繋するホルダに保持させてなるとする。
【発明の効果】
【００１５】
それゆえ、作動油の給排で伸縮するジャッキがポンプ，タンク，リリーフ弁および圧抜き弁を内蔵するから、建入れ調整装置全体をコンパクト化することが可能になり、搬送性や取扱性を向上し得る。
【００１６】
また、ポンピング用のハンドルがジャッキの上端に連繋されるから、ポンピング操作に際して、ハンドルを上下方向に揺動させることが可能になり、ハンドルを揺動させるいわゆる作業範囲を水平方向に大きく占有させないで済む。
【００１７】
そして、ジャッキが固定側部材と可動側部材とでなるから、基本的な構成部品数を少なくでき、部品数が多くなることで招来される建入れ調整装置全体におけるいわゆる嵩張りの招来を回避し得る。
【００１８】
さらに、固定側部材がベース部材を有することから、基礎上などへの安定した設置が可能になる。
【００１９】
そしてまた、固定側部材がロッド部を有すると共に、可動側部材がシリンダ部を有するから、ロッド部でシリンダ部内に圧力室を画成し得ると共に、作動油の給排でこの圧力室を膨縮させて、ロッド部に対するシリンダ部の昇降を可能にする、すなわち、ジャッキを伸縮させることが可能になる。
【００２０】
そしてさらに、ハウジング部がフック部を有するから、伸長時たる可動側部材の上昇時に併せてシリンダ部が上昇することで、フック部を上昇させることが可能になり、このとき、シリンダ部がロッド部に副って上昇するので両者間に競りの危惧がなく、特に、ジャッキの伸長が円滑に実現される。
【００２１】
また、フック部に螺合して先端を固定側部材におけるベース部に当接させる有頭ボルトを有するから、この有頭ボルトによって、固定側部材に対する可動側部材の昇降位置を維持でき、特に、圧力室への圧油の供給が停止されたり、圧力室の油圧が低下するような場合に、固定側部材に対する可動側部材の昇降位置を機会的に維持できる。
【発明を実施するための最良の形態】
【００２２】
以下に、図示した実施形態に基づいて、この発明を説明するが、この発明による建入れ調整装置は、原理的には、図１に示すように、ポンプ１から吐出される圧油たる作動油の供給を受けて伸長すると共に、供給された作動油をタンク２に戻して収縮するジャッキ３を有してなる。
【００２３】
すなわち、この建入れ調整装置にあっては、ポンプ１に連繋したハンドル１ａをポンピング操作すると、ポンプ１がチェック弁１ｂを介してタンク２内の作動油を吸い上げると共に、リリーフ弁１ｃで設定される所定の油圧にしてジャッキ３に向けて吐出するとしている。
【００２４】
また、この建入れ調整装置にあっては、ポンプ１からの作動油がチェック弁４を介してジャッキ３に供給され、ジャッキ３に供給された作動油が圧抜き弁５の開放作動でタンク５に戻るとしている。
【００２５】
そして、この発明による建入れ調整装置は、具体的には、図２に示すように、ジャッキ３にポンプ１，タンク２およびバルブユニットＶが組み込まれてなるとし、さらには、ポンプ１をポンピング作動させるハンドル１ａがジャッキ３の上端に連繋されてなるとしている。
【００２６】
このとき、バルブユニットＶは、図示しないが、上記したチェック弁１ｂ，４，リリーフ弁１ｃおよび圧抜き弁５を内蔵している。
【００２７】
それゆえ、この建入れ調整装置にあっては、作動油の給排で伸縮するジャッキ３がポンプ１，タンク２およびバルブユニットＶ、すなわち、チェック弁１ｂ，４，リリーフ弁１ｃおよび圧抜き弁５を内蔵するから、建入れ調整装置全体のコンパクト化を可能にし、また、搬送性や取扱性を向上し得ることになる。
【００２８】
そして、ポンピング用のハンドル１ａがジャッキ３の上端に連繋されるから、ポンピング操作の際にハンドル１ａを上下方向に揺動させることが可能になり、その意味では、ハンドル１ａを揺動させる際のいわゆる作業範囲を水平方向に大きく占有させないで済むから、ハンドル１ａが周辺に干渉することでポンピング操作できなくなることを危惧すらしなくて済むことにもなる。
【００２９】
ちなみに、この発明の建入れ調整装置にあっては、ハンドル１ａを長くしても操作性を悪くする危惧がなく、また、ハンドル１ａを短くする要請がないから、ハンドル１ａを短くすることによって、大きい作業トルクを発生させる際に作業者に大きい負担を強いることがないことになる。
【００３０】
ところで、この発明による建入れ調整装置にあって、ジャッキ３は、固定側部材１０と可動側部材２０とからなるとしており、それゆえ、基本的な部品点数を最小限度に抑えられるから、部品点数が多くなることで招来される建入れ調整装置全体におけるいわゆる嵩張りの招来を回避し得ることになる。
【００３１】
このとき、固定側部材１０は、打ち上がった基礎コンクリート盤などの基礎Ｂ上などに載置されるベース部１１と、このベース部１１に上方に向けて起立するロッド部１２とを有してなるとしている。
【００３２】
ちなみに、この建入れ調整装置で建入れ調整される柱Ｐは、図示しないが、上記の基礎Ｂ上に山状に形成された「まんじゅう」と称される台座の頂部に下端が着座するとしており、後述するフック部２３は、この台座に干渉しないように、柱Ｐの下端下方に挿し込まれるとしている。
【００３３】
一方、可動側部材２０は、固定側部材１１におけるロッド部１２を下端側から出没可能に導入させて作動油の給排で膨縮する圧力室Ｒ（図２参照）を画成するシリンダ部２１と、このシリンダ部２１から上方に向けて延設されてポンプ１，タンク２およびバルブユニットＶを内蔵するハウジング部２２とを有してなるとしている。
【００３４】
それゆえ、上記のジャッキ３にあっては、固定側部材１０がベース部１１を有することから、基礎Ｂ上などへの安定した設置が可能になり、固定側部材１０がロッド部１１を有すると共に、可動側部材２０におけるシリンダ部２１内にロッド部１２を挿通することで、このシリンダ部２１内に圧力室Ｒを画成し得ることになる。
【００３５】
なお、ベース部１１を基礎Ｂ上などにより安定した状態に設置するについては、多くの場合に、ベース部１１を長尺に形成することで足りる。
【００３６】
そして、このジャッキ３にあっては、シリンダ部２１内に画成される圧力室Ｒに対する作動油の給排でこの圧力室Ｒを膨縮させ、固定側部材１０たるロッド部１２に対して可動側部材２０たるシリンダ部２１を昇降し得る、すなわち、ジャッキ３を伸縮し得ることになる。
【００３７】
それゆえ、このジャッキ３にあっては、その伸長時にシリンダ部２１が柱Ｐをその下端下方から支えるとすれば、このシリンダ部２１の上昇で柱Ｐを上昇し得ることになり、そのため、この発明では、可動側部材２０におけるシリンダ部２１がフック部２３を有してなるとしている。
【００３８】
すなわち、図示するところでは、シリンダ部１の下端外周に肉厚のフランジ状に形成されたフック部２３を有してなるとし、このフック部２３の上端に柱Ｐの下端を着座させるとしている。
【００３９】
ちなみに、図示する実施形態では、フック部２３の上端には柱Ｐの下端が着座されるとしているが、この発明が意図するところからすれば、図示しないが、たとえば、柱Ｐにエレクションピースが連設されていて、このエレクションピースの下端などをフック部２３の上端に着座させるとしても良いことはもちろんである。
【００４０】
それゆえ、シリンダ部２１がフック部２３を有するから、シリンダ部２１を上昇させることで、フック部２３を上昇させることが可能になり、このとき、シリンダ部２１がロッド部１２に副って上昇するので、両者間に競りを生じることなく、特に、円滑な上昇が実現可能になる。
【００４１】
ところで、この発明による建入れ調整装置にあっては、フック部２３にこのフック部２３を上下方向に貫通するように螺合して先端を固定側部材１０におけるベース部１１に当接させる有頭ボルト３１を有すると共に、この有頭ボルト３１をベース部１１に溶接などで連繋したホルダ３２に保持させてなるとしている。
【００４２】
それゆえ、この有頭ボルト３１によって、固定側部材１０に対する可動側部材２０の昇降位置を維持でき、特に、圧力室Ｒへの圧油の供給が停止されたり、圧力室Ｒの油圧が低下するような場合に、固定側部材１０に対する可動側部材２０の昇降位置を機会的に維持できることになる。
【００４３】
ちなみに、この有頭ボルト３１を回動操作するについては、大きいトルクは不要であり、したがって、作業者は、言わば普通の大きさの工具を利用して回動操作すれば足り、したがって、前記した特許文献１に開示されている有頭ボルトに対する回動操作に比較して、作業者の負担を大きくしないことになる。
【００４４】
したがって、この建入れ調整装置を利用する柱Ｐの建入れ直しの際には、同時進行の態勢で複数本の柱Ｐについて建入れ直しをするのが通例だから、この有頭ボルト３１を利用することで、柱Ｐがこの有頭ボルト３１を螺装する部分において下がることを阻止し得ることになる。
【００４５】
ちなみに、この有頭ボルト３１が機能するところからすれば、フック部２３において、柱Ｐの下端下方に差し込まれる部位の反対側にこの有頭ボルト３１が螺装されるであろう。
【図面の簡単な説明】
【００４６】
【図１】この発明による建入れ調整装置を原理的に示す回路図である。
【図２】この発明による建入れ調整装置を部分的に断面で示す図である。
【図３】図２の建入れ調整装置におけるジャッキ部分が伸長した状態を示す断面図である。
【符号の説明】
【００４７】
１  ポンプ
１ａ  ハンドル
１ｃ  リリーフ弁
２  タンク
３  ジャッキ
５  圧抜き弁
１０  固定側部材
１１  ベース部
１２  ロッド部
２０  可動側部材
２１  シリンダ部
２２  ハウジング部
３１  有頭ボルト
３２  ホルダ
【図１】
2005097998.tif 000003
【図２】
2005097998.tif 000004
【図３】
2005097998.tif 000005